(57)【要約】    【課題】  二重化構成の現用系パケット信号終端装置のトラヒックが存在しない場合に予備系パケット信号終端装置を自動的に電源オフすることによって、信号終端装置の消費電力の低減を実現するパケット交換機を提供する。    【解決手段】  現用系パケット信号終端装置３０と予備系パケット信号終端装置４０の二重化構成を有するパケット交換機１０であって、現用系パケット信号終端装置３０が送受信するパケット信号の有無を周期的に監視し、現用系パケット信号終端装置３０が送受信するパケット信号が存在しない場合、予備系パケット信号終端装置４０の電源をオフ状態とし、現用系パケット信号終端装置３０が送受信するパケット信号が存在する場合に、予備系パケット信号終端装置４０の電源をオン状態とする制御装置２０を備える。【選択図】    図１
2005277491.tif 000002
【特許請求の範囲】
【請求項１】
現用系と予備系の二重化構成を有するパケット信号終端装置を備えるパケット交換機であって、
前記現用系パケット信号終端装置が送受信するパケット信号の有無を周期的に監視し、前記パケット信号の有無に基づいて、前記予備系パケット信号終端装置の電源を制御する制御手段を備えることを特徴とするパケット交換機。
【請求項２】
前記制御手段が、前記現用系パケット信号終端装置が送受信するパケット信号が存在しない場合、前記予備系パケット信号終端装置の電源をオフ状態とすることを特徴とする請求項１に記載のパケット交換機。
【請求項３】
前記制御手段が、前記現用系パケット信号終端装置が送受信するパケット信号が存在する場合に、前記予備系パケット信号終端装置の電源をオン状態とすることを特徴とする請求項１に記載のパケット交換機。
【請求項４】
前記制御手段は、周期的に前記現用系パケット信号終端装置に対してトラヒック収集要求を送信し、
前記現用系パケット信号終端装置からのトラヒック収集応答に基づいて、前記現用系パケット信号終端装置が送受信するパケット信号が存在するかどうかを判別することを特徴とする請求項１から請求項３の何れか１項に記載のパケット交換機。
【請求項５】
前記制御手段は、
前記現用系パケット信号終端装置が送受信するパケット信号が存在する場合、前記予備系パケット信号終端装置の電源の状態を判定し、電源がオフであればオン状態とし、電源がオフであれば当該状態を保持し、
前記現用系パケット信号終端装置が送受信するパケット信号が存在しない場合、前記予備系パケット信号終端装置の電源の状態を判定し、電源がオンであればオフ状態とし、電源がオンであれば当該状態を保持する制御を行うことを特徴とする請求項１に記載のパケット交換機。
【請求項６】
前記制御手段が、前記現用系パケット信号終端装置が送受信するパケット信号が存在しない場合、前記予備系パケット信号終端装置の電源をスタンバイモード状態とし、
前記現用系パケット信号終端装置が送受信するパケット信号が存在する場合に、前記予備系パケット信号終端装置の電源をスタンバイモード状態から復帰させることを特徴とする請求項１に記載のパケット交換機。
【請求項７】
現用系と予備系の二重化構成を有するパケット信号終端装置を備えるパケット交換機上で実行され、前記予備系パケット信号終端装置の電源制御を行う電源制御プログラムであって、
前記現用系パケット信号終端装置が送受信するパケット信号の有無を周期的に監視する機能と、
前記パケット信号の有無に基づいて、前記予備系パケット信号終端装置の電源を制御する制御機能を有することを特徴とするパケット信号終端装置の電源制御プログラム。
【請求項８】
前記現用系パケット信号終端装置が送受信するパケット信号が存在しない場合、前記予備系パケット信号終端装置の電源をオフ状態とし、前記現用系パケット信号終端装置が送受信するパケット信号が存在する場合に、前記予備系パケット信号終端装置の電源をオン状態とする機能を実行することを特徴とする請求項７に記載のパケット信号終端装置の電源制御プログラム。
【請求項９】
前記制御手段は、周期的に前記現用系パケット信号終端装置に対してトラヒック収集要求を送信する機能と、
前記現用系パケット信号終端装置からのトラヒック収集応答に基づいて、前記現用系パケット信号終端装置が送受信するパケット信号が存在するかどうかを判別する機能を有することを特徴とする請求項７又は請求項８に記載のパケット信号終端装置の電源制御プログラム。
【請求項１０】
前記現用系パケット信号終端装置が送受信するパケット信号が存在する場合、前記予備系パケット信号終端装置の電源の状態を判定し、電源がオフであればオン状態とし、電源がオフであれば当該状態を保持する機能と、
前記現用系パケット信号終端装置が送受信するパケット信号が存在しない場合、前記予備系パケット信号終端装置の電源の状態を判定し、電源がオンであればオフ状態とし、電源がオンであれば当該状態を保持する機能を実行することを特徴とする請求項７に記載のパケット信号終端装置の電源制御プログラム。
【請求項１１】
前記現用系パケット信号終端装置が送受信するパケット信号が存在しない場合、前記予備系パケット信号終端装置の電源をスタンバイモード状態とし、
前記現用系パケット信号終端装置が送受信するパケット信号が存在する場合に、前記予備系パケット信号終端装置の電源をスタンバイモード状態から復帰させる機能を実行することを特徴とする請求項７に記載のパケット信号終端装置の電源制御プログラム。
【発明の詳細な説明】
【技術分野】
【０００１】
本発明は、パケット交換機に関し、特に現用系と予備系の二重化構成を有するパケット信号終端装置の消費電力を低減するパケット交換機、電源制御プログラムに関するものである。
【背景技術】
【０００２】
現状のパケット交換機におけるパケット信号終端装置（DCE：Data Circuit-terminating Equipment）については、現用系の装置、予備系の装置を配備することで二重化構成をとって運用していることが多い。
【０００３】
このような二重化構成によって、サービス停止、システムダウン時間を極力短縮するようにしている。このため、パケット信号終端装置の台数が増えると、消費電力も大きくなり、キャリア事業者のシステムの消費電力量が大きくなり、その消費電力費は収益に悪影響を及ばすこととなる。また、消費電力が大きいと、発熱量が増加し二酸化炭素（以後ＣＯ２）の排出量も増えてしまい環境にも悪影響を及ぼす。
【０００４】
二重化構成をとっているパケット信号終端装置の消費電力および発熱量を低減させるには、低消費電力のデバイス製品の再選定、部品点数の削減等、仕様変更を実施する必要があり、パケット信号終端装置そのものを再設計しなくてはならず、パケット信号終端装置を提供するメーカ側にとっても開発コストが発生し収益性が薄くなってしまう。
【０００５】
上述したようなパケット交換機の運用にあたって消費電力量を抑えるには、保守者が二重化構成の予備系パケット信号終端装置の電源オフを実施することで、予備系のパケット信号終端装置をOut Of Service（稼動していない状態）とするしか解決策がないのが現状である。ただし、この場合、該当のパケット信号終端装置が一重化運転となり、現用系パケット信号終端装置が故障等で停止した場合、切り替え先となる予備系パケット信号終端装置の電源がオフ状態であるため、保守者が電源をオンして稼動するまでの間、パケット信号のロスが発生し、サービス品質を低下させてしまう可能性がある。また、復旧においても常に保守者が介在する必要があるため、サービス停止時間が長くなる。
【０００６】
なお、このような二重化構成をとっているパケット信号終端装置において消費電力の節電を図るための従来技術が、例えば特開平６−２９８８１号公報（特許文献１）に開示されている。
【０００７】
この特許文献１に開示される伝送路切替方式では、通常の状態で予備系伝送路終端部の電源をオフの状態としておき、現用系伝送路終端部からの現用系信号の誤り率が低い基準を超えた時に予備系伝送路終端部の電源をオンとし、さらに現用系信号の誤り率が先の基準より高い通常の基準を超えた時に予備系伝送路終端部に運用を切り替えることで、消費電力の節電を達成するものである。
【特許文献１】特開平６−０２９８８１号公報
【発明の開示】
【発明が解決しようとする課題】
【０００８】
従来の技術においては、二重化構成の使用しない予備系パケット終端装置に電源が供給されているため、装置全体の消費電力が増大し、収益面、環境面に悪影響を及ぼす問題がある。
【０００９】
消費電力低減のために、保守者が介在して二重化構成の予備系パケット終端装置の電源オン／オフを行う場合、現用系パケット信号終端装置が故障等で停止した場合、切り替え先となる予備系パケット信号終端装置の電源がオフ状態であるため、パケット信号のロスが発生すると共に、保守者が介在することでサービス停止時間が長くなり、サービス品質を低下させてしまうという問題がある。
【００１０】
また、特許文献１に開示される従来の方法では、現用系の終端装置の故障等により信号の誤り率が基準を超えた時にのみ予備系の終端装置の電源をオンするだけであり、現用系の終端装置の故障の有無にかかわらず予備系の終端装置の電源のオン／オフ制御は行えない。
【００１１】
本発明の目的は、二重化構成の現用系パケット信号終端装置のトラヒックが存在しない場合に予備系パケット信号終端装置を自動的に電源オフすることによって、信号終端装置の消費電力の低減を実現するパケット交換機、パケット信号終端装置の電源制御プログラムを提供することにある。
【００１２】
また、本発明の他の目的は、予備系パケット信号終端装置の電源オフ状態で、現用系パケット終端装置が故障してもパケット信号のロスといったサービス品質低下の発生を防止することができるパケット交換機、パケット信号終端装置の電源制御プログラムを提供することにある。
【課題を解決するための手段】
【００１３】
上記目的を達成するための本発明は、現用系と予備系の二重化構成を有するパケット信号終端装置を備えるパケット交換機であって、前記現用系パケット信号終端装置が送受信するパケット信号の有無を周期的に監視し、前記パケット信号の有無に基づいて、前記予備系パケット信号終端装置の電源を制御する制御手段を備えることを特徴とする。
【００１４】
請求項２の本発明のパケット交換機は、前記制御手段が、前記現用系パケット信号終端装置が送受信するパケット信号が存在しない場合、前記予備系パケット信号終端装置の電源をオフ状態とすることを特徴とする。
【００１５】
請求項３の本発明のパケット交換機は、前記制御手段が、前記現用系パケット信号終端装置が送受信するパケット信号が存在する場合に、前記予備系パケット信号終端装置の電源をオン状態とすることを特徴とする。
【００１６】
請求項４の本発明のパケット交換機は、前記制御手段は、周期的に前記現用系パケット信号終端装置に対してトラヒック収集要求を送信し、前記現用系パケット信号終端装置からのトラヒック収集応答に基づいて、前記現用系パケット信号終端装置が送受信するパケット信号が存在するかどうかを判別することを特徴とする。
【００１７】
請求項５の本発明のパケット交換機は、前記制御手段は、前記現用系パケット信号終端装置が送受信するパケット信号が存在する場合、前記予備系パケット信号終端装置の電源の状態を判定し、電源がオフであればオン状態とし、電源がオフであれば当該状態を保持し、前記現用系パケット信号終端装置が送受信するパケット信号が存在しない場合、前記予備系パケット信号終端装置の電源の状態を判定し、電源がオンであればオフ状態とし、電源がオンであれば当該状態を保持する制御を行うことを特徴とする。
【００１８】
請求項６の本発明のパケット交換機は、前記制御手段が、前記現用系パケット信号終端装置が送受信するパケット信号が存在しない場合、前記予備系パケット信号終端装置の電源をスタンバイモード状態とし、前記現用系パケット信号終端装置が送受信するパケット信号が存在する場合に、前記予備系パケット信号終端装置の電源をスタンバイモード状態から復帰させることを特徴とする。
【００１９】
請求項７の本発明のパケット信号終端装置の電源制御プログラムは、現用系と予備系の二重化構成を有するパケット信号終端装置を備えるパケット交換機上で実行され、前記予備系パケット信号終端装置の電源制御を行う電源制御プログラムであって、前記現用系パケット信号終端装置が送受信するパケット信号の有無を周期的に監視する機能と、前記パケット信号の有無に基づいて、前記予備系パケット信号終端装置の電源を制御する制御機能を有することを特徴とする。
【００２０】
請求項８の本発明のパケット信号終端装置の電源制御プログラムは、前記現用系パケット信号終端装置が送受信するパケット信号が存在しない場合、前記予備系パケット信号終端装置の電源をオフ状態とし、前記現用系パケット信号終端装置が送受信するパケット信号が存在する場合に、前記予備系パケット信号終端装置の電源をオン状態とする機能を実行することを特徴とする。
【００２１】
請求項９の本発明のパケット信号終端装置の電源制御プログラムは、前記制御手段は、周期的に前記現用系パケット信号終端装置に対してトラヒック収集要求を送信する機能と、前記現用系パケット信号終端装置からのトラヒック収集応答に基づいて、前記現用系パケット信号終端装置が送受信するパケット信号が存在するかどうかを判別する機能を有することを特徴とする。
【００２２】
請求項１０の本発明のパケット信号終端装置の電源制御プログラムは、前記現用系パケット信号終端装置が送受信するパケット信号が存在する場合、前記予備系パケット信号終端装置の電源の状態を判定し、電源がオフであればオン状態とし、電源がオフであれば当該状態を保持する機能と、前記現用系パケット信号終端装置が送受信するパケット信号が存在しない場合、前記予備系パケット信号終端装置の電源の状態を判定し、電源がオンであればオフ状態とし、電源がオンであれば当該状態を保持する機能を実行することを特徴とする。
【００２３】
請求項１１の本発明のパケット信号終端装置の電源制御プログラムは、前記現用系パケット信号終端装置が送受信するパケット信号が存在しない場合、前記予備系パケット信号終端装置の電源をスタンバイモード状態とし、前記現用系パケット信号終端装置が送受信するパケット信号が存在する場合に、前記予備系パケット信号終端装置の電源をスタンバイモード状態から復帰させる機能を実行することを特徴とする。
【発明の効果】
【００２４】
本発明のパケット交換機によれば、以下に述べるような効果が達成される。
【００２５】
現用系パケット信号終端装置でトラヒックが存在しないときは、予備系パケット信号終端装置３０の電源をオフとすることで消費電力を低減することができる。また、これにより、消費電力費を削減でき収益向上の効果と、ＣＯ２排出量の低減により環境汚染を抑制する効果が得られるようになる。
【００２６】
また、予備系パケット信号終端装置の電源がオフ状態のときには、現用系パケット終端装置にトラヒックが存在しないことを意味しているので、万が一、現用系パケット終端装置が故障したとしても、パケット信号のロスといったサービス品質低下が発生することもない。
【実施例】
【００２７】
以下、本発明の好適な実施例について図面を参照して詳細に説明する。
【００２８】
図１は、本発明の実施例によるパケット交換機の特徴的な構成を示すブロック図である。図２に本発明の実施例によるパケット交換機におけるトラヒック監視制御を説明するフローチャート、図３にそのトラヒック監視制御のシーケンス示す。
【００２９】
本実施例によるパケット交換機１０は、パケット回線網である対向網１００とパケット信号を送受信するパケット信号終端処理装置として、現用系パケット信号終端装置３０と、予備系パケット信号終端装置４０を備える二重化構成となっており、これら２つのパケット信号終端装置のトラヒック制御、その電源のオン、オフの制御を行う制御装置２０を備えている。
【００３０】
なお、図１においては、便宜上本発明の特徴的な構成要件についてのみ示したが、パケット交換機１０には、その他に本来の回線制御を行うためのスイッチ手段やその他の構成要素を備えていることは言うまでもない。
【００３１】
また、本実施例のパケット交換機１０の制御装置２０は、プログラム制御可能なコンピュータ処理部（ＣＰＵ）やメモリによって実現されており、制御装置２０（コンピュータ処理装置）上で、本来の回線制御のための機能を実現する回線制御プログラムや、以下に述べるパケットの監視とパケット信号終端装置の電源制御を行うための機能を実現するパケット信号終端装置の電源制御プログラム５０をロードして実行することで、それらの機能を実現する。これらのプログラムは、半導体メモリその他の記録媒体に格納され、その記録媒体からコンピュータ処理装置にロードされ、コンピュータ処理装置の動作を制御する。
【００３２】
以下、制御装置２０による信号終端装置（３０、４０）に対する制御処理について図２のフローチャートと図３のタイミングチャートを参照して説明する。
【００３３】
制御装置２０は、周期的にトラヒック監視処理を起動する（ステップ２０１）。このトラヒック監視処理を起動する周期は、例えば数十秒の時間間隔等が考えられるがその長さについては特に限定されない。
【００３４】
制御装置２０は、現時点で稼動している現用系パケット信号終端装置３０に対してトラヒック収集要求３０１（図３）を送信する（ステップ２０２）。
【００３５】
トラヒック収集要求３０１を受信した現用系パケット信号終端装置は、現用系パケット信号終端装置３０と対向網１００とでパケット信号の送受信（トラヒック）の有無を通知するトラヒック収集応答３０２（図３）を制御装置２０に返信する。制御装置２０は、返信されたトラヒック収集応答３０２を受信し（ステップ２０３）、トラヒックの存在の有無を判定する（ステップ２０４）。
【００３６】
トラヒックが存在しない（トラヒック＝「０」）場合、予備系パケット信号終端装置４０が電源オフの状態かどうかを判別する（ステップ２０５）。
【００３７】
ステップ２０５で、予備系パケット信号終端装置４０が電源オフの状態である場合は、電源のオン／オフ制御をすることなく電源オフの状態を保持する前状態保持とし（ステップ２０６）、処理を終了（ステップ２０７）し、次の周期まで待機する。このときパケット信号終端装置は一重化運転となる。
【００３８】
ステップ２０５で、予備系パケット信号終端装置４０が電源オフでない場合（電源オンの場合）は、電源オフ要求４０１を予備系パケット信号終端装置４０に送信し（ステップ２０８）、処理を終了し次の周期まで待機する（ステップ２０７）。このときパケット信号終端装置は一重化運転となる。
【００３９】
ステップ２０４の判別でトラックが存在する（トラヒック≠「０」）場合、予備系パケット信号終端装置４０が電源オフの状態かどうかを判別する（ステップ２０９）。
【００４０】
ステップ２０９で、予備系パケット信号終端装置４０が電源オフの状態である場合は、電源オン要求４０２を予備系パケット信号終端装置４０に送信し（ステップ２１０）、処理を終了し、次の周期まで待機する（ステップ２０７）。このときパケット信号終端装置は二重化運転となる。
【００４１】
ステップ２０９で、予備系パケット信号終端装置４０が電源オフでない場合（電源オンの場合）は、電源のオン／オフ制御をすることなく電源オンの状態を保持する前状態保持とし（ステップ２１１）、処理を終了し次の周期まで待機する（ステップ２０７）。このときパケット信号終端装置は二重化運転となる。
【００４２】
次いで、以下本発明の実際の動作例について、図４のシーケンスチャートを参照して説明する。
【００４３】
ここでは、トラヒック監視の周期を１０秒に設定した場合の動作例を示している。
【００４４】
また、制御装置２０の最初のトラヒック監視処理の起動の時点では、現用系パケット信号終端装置３０と予備系パケット信号終端装置４０のどちらも電源オンの状態、つまり二重化運転状態であるものとする。
【００４５】
図４の（Ａ）のタイミングで、制御装置２０はトラヒック収集要求３０１を現用系パケット信号終端装置３０に対して送信すると、当該トラヒック収集要求３０１を受信した現用系パッケージ信号終端装置３０は、トラヒック収集応答３０２を制御装置２０に返信する。この一連のトラヒック監視処理をここでは、１０秒周期で繰り返す。
【００４６】
最初のトラヒック監視処理では、現用系パケット信号終端装置３０と対向網１００とでパケット信号４５１、４５２の送受信がなされトラヒックが存在するので、トラヒック収集応答３０２にトラヒックの存在が示されることとなる。制御装置２０は、トラヒック収集応答３０２からトラヒックが存在する（トラヒック≠「０」）ことを判別する（図２のステップ２０４）。
【００４７】
この場合、予備系パケット信号終端装置４０が電源オンの状態であることから、制御装置２０は、予備系パケット信号終端装置４０の電源のオン／オフ制御を行うことなく、前状態を保持する（図２のステップ２０９、ステップ２１１）。
【００４８】
次に、図４の（Ｂ）のタイミングでのトラヒック監視処理では、現用系パケット信号終端装置３０と対向網１００でのパケット信号の送受信がないので、現用系パケット信号終端装置３０からのトラヒック収集応答３０２にはトラヒックの存在が示されない。
【００４９】
制御装置２０は、トラヒック収集応答３０２からトラヒックが存在しない（トラヒック＝「０」）ことを判別し（図２のステップ２０４）、かつ予備系パケット信号終端装置４０が電源オンの状態であるので、予備系パケット信号終端装置３０に電源オフ要求４０１を送信する（図２のステップ２０５、ステップ２０８）。このとき、パケット信号終端装置は一重化運転となる。
【００５０】
図４の（Ｃ）のタイミングでのトラヒック監視処理では、現用系パケット信号終端装置３０と対向網１００とでパケット信号４５３、４５４、４５５の送受信がなされトラヒックが存在するので、トラヒック収集応答３０２にトラヒックの存在が示されることとなる。
【００５１】
制御装置２０は、トラヒック収集応答３０２からトラヒックが存在する（トラヒック≠「０」）ことを判別し（図２のステップ２０４）、かつ前回の処理で予備系パケット信号終端装置３０の電源をオフにしているので、予備系パケット信号終端装置３０に対して電源オン要求４０２を送信する（図２のステップ２０９、ステップ２１０）。このときパケット信号終端装置は二重化運転となる。
【００５２】
以上のように本実施例のパケット交換機１０においては、現用系パケット信号終端装置２０でトラヒックが存在しないときは、予備系パケット信号終端装置３０の電源をオフとすることで消費電力を低減することができる。また、予備系パケット信号終端装置３０の電源がオフのときには、現用系パケット終端装置２０にトラヒックが存在しないことを意味しているので、万が一、現用系パケット終端装置２０が故障したとしても、パケット信号のロスといったサービス品質低下が発生することもない。
【００５３】
上記実施例では、現用系パケット信号終端装置２０でトラヒックが存在するか否かによって、予備系パケット信号終端装置３０の電源をオン／オフする制御を行う場合を説明したが、送受信するパケット信号の数（トラヒック量）が一定基準を超えた場合に、予備系パケット信号終端装置３０の電源をオン状態とし、一定基準を下回った場合に、予備系パケット信号終端装置３０の電源をオフ状態とするように制御することでも、上記と同様の消費電力低減の効果が得られる。
【００５４】
上記本実施例では、消費電力低減の施策として、予備系パケット信号終端装置３０の電源をオフ状態とする場合について説明したが、電源のオン／オフではなく、現用系パケット信号終端装置２０のトラヒックが存在しない場合に、いわゆる電力省エネモード（スタンバイモード）にし、トラヒックが存在する場合に復帰するように制御することも可能である。このような制御も、制御装置２０の上述したと同様の処理によって実現することができる。
【００５５】
以上、好ましい実施例をあげて本発明を説明したが、本発明は必ずしも上記実施例に限定されるものではない。本発明の要旨を逸脱しない範囲内において種々の変形が可能であることは言うまでもない。
【図面の簡単な説明】
【００５６】
【図１】本発明の実施例によるパケット交換機の特徴的な構成を示すブロック図である。
【図２】本発明の実施例によるパケット交換機におけるトラヒック監視制御を説明するフローチャートである。
【図３】本発明の実施例によるパケット交換機におけるトラヒック監視制御を説明するシーケンスチャートである。
【図４】本発明の実施例によるパケット交換機における実際の動作例を示すシーケンスチャートである。
【符号の説明】
【００５７】
１０：パケット交換機
２０：制御装置
３０：現用系パケット信号終端装置
４０：予備系パケット信号終端装置
５０：電源制御プログラム
１００：対向網
【図１】
2005277491.tif 000003
【図２】
2005277491.tif 000004
【図３】
2005277491.tif 000005
【図４】
2005277491.tif 000006